(57)【特許請求の範囲】
【請求項１】
基地局からの４送信アンテナ（４Ｔｘ）送信に対応するチャネル状態情報（ＣＳＩ）を報告するための方法であって、
デュアルコードブック構造を有する４Ｔｘコードブックを使用するかレガシー非デュアルコードブック構造を有する４Ｔｘコードブックを使用するかを特定するシグナリングを前記基地局から受信することと、
ワイヤレス通信デバイスが、前記基地局からの前記４Ｔｘ送信に対応するＣＳＩ報告のための４Ｔｘコードブックを決定することと、ここにおいて、前記決定された４Ｔｘコードブックは、前記デュアルコードブック構造を有する複数の４Ｔｘコードブックのうちの１つであり、ここにおいて、前記デュアルコードブック構造を有する前記４Ｔｘコードブックが複数の報告されたインデックスを使用してインデックス付けされる、
前記ワイヤレス通信デバイスが、前記インデックス付けされた４Ｔｘコードブックを使用して前記ＣＳＩ報告を生成することと、
前記ワイヤレス通信デバイスが、前記ＣＳＩ報告を基地局に送信することと
を備える、方法。
【請求項２】
第１の前記報告されたインデックスが各偏波についてのビームグリッドを定義し、第２の前記報告されたインデックスがビームグループ内でのビーム選択とコフェージングとを実行する、請求項１に記載の方法。
【請求項３】
前記４Ｔｘコードブックが、ビームグリッド解像度、ビームグループのサイズ、ビームグループ間の重複、およびコフェージング精度のパラメータのうちの少なくとも１つに基づいて決定される、請求項１に記載の方法。
【請求項４】
前記４Ｔｘコードブックを生成するために使用される各パラメータが個々に適応可能である、請求項３に記載の方法。
【請求項５】
前記シグナリングは、明示的ビット、動的パラメータおよび半静的パラメータのうちの少なくとも１つに基づく、請求項１に記載の方法。
【請求項６】
新しいＣＳＩ報告タイプが、様々な報告モードでのプリコーディング行列インジケータ（ＰＭＩ）またはチャネル品質インジケータ（ＣＱＩ）のために費やされるビット数を調整するために定義される、請求項１に記載の方法。
【請求項７】
複数ユーザチャネル品質インジケータ仮定がコードブック適応とは別のままである、請求項１に記載の方法。
【請求項８】
複数ユーザチャネル品質インジケータ仮定がコードブック適応に従う、請求項１に記載の方法。
【請求項９】
前記ＣＳＩ報告についての１１ビットペイロード制約を満たすためにコードブックサブサンプリングを実行することをさらに備える、請求項１に記載の方法。
【請求項１０】
基地局からの４送信アンテナ（４Ｔｘ）送信に対応するチャネル状態情報（ＣＳＩ）を報告するためのワイヤレス通信デバイスであって、
プロセッサと、
前記プロセッサと電子通信しているメモリと、
前記メモリに記憶された命令とを備え、前記命令は、
デュアルコードブック構造を有する４Ｔｘコードブックを使用するかレガシー非デュアルコードブック構造を有する４Ｔｘコードブックを使用するかを特定するシグナリングを前記基地局から受信することと、
前記ワイヤレス通信デバイスが、前記基地局からの前記４Ｔｘ送信に対応するＣＳＩ報告のための４Ｔｘコードブックを決定することと、ここにおいて、前記決定された４Ｔｘコードブックは、前記デュアルコードブック構造を有する複数の４Ｔｘコードブックのうちの１つであり、ここにおいて、前記デュアルコードブック構造を有する前記４Ｔｘコードブックが複数の報告されたインデックスを使用してインデックス付けされる、
前記ワイヤレス通信デバイスが、前記インデックス付けされた４Ｔｘコードブックを使用して前記ＣＳＩ報告を生成することと、
前記ワイヤレス通信デバイスが、前記ＣＳＩ報告を基地局に送信することと
を行うために前記プロセッサによって実行可能である、ワイヤレス通信デバイス。
【請求項１１】
第１の前記報告されたインデックスが各偏波についてのビームグリッドを定義し、第２の前記報告されたインデックスがビームグループ内でのビーム選択とコフェージングとを実行する、請求項１０に記載のワイヤレス通信デバイス。
【請求項１２】
前記４Ｔｘコードブックが、ビームグリッド解像度、ビームグループのサイズ、ビームグループ間の重複、およびコフェージング精度のパラメータのうちの少なくとも１つに基づいて決定される、請求項１０に記載のワイヤレス通信デバイス。
【請求項１３】
前記４Ｔｘコードブックを生成するために使用される各パラメータが個々に適応可能である、請求項１２に記載のワイヤレス通信デバイス。
【請求項１４】
前記シグナリングは、明示的ビット、動的パラメータおよび半静的パラメータのうちの少なくとも１つに基づく、請求項１０に記載のワイヤレス通信デバイス。
【請求項１５】
新しいＣＳＩ報告タイプが、様々な報告モードでのプリコーディング行列インジケータ（ＰＭＩ）またはチャネル品質インジケータ（ＣＱＩ）のために費やされるビット数を調整するために定義される、請求項１０に記載のワイヤレス通信デバイス。
【請求項１６】
複数ユーザチャネル品質インジケータ仮定がコードブック適応とは別のままである、請求項１０に記載のワイヤレス通信デバイス。
【請求項１７】
複数ユーザチャネル品質インジケータ仮定がコードブック適応に従う、請請求項１０に記載のワイヤレス通信デバイス。
【請求項１８】
前記ＣＳＩ報告についての１１ビットペイロード制約を満たすためにコードブックサブサンプリングを実行するために前記プロセッサによって実行可能である命令をさらに備える、請求項１０に記載のワイヤレス通信デバイス。
【請求項１９】
基地局からの４送信アンテナ（４Ｔｘ）送信に対応するチャネル状態情報（ＣＳＩ）を報告するためのワイヤレス通信デバイスであって、
デュアルコードブック構造を有する４Ｔｘコードブックを使用するかレガシー非デュアルコードブック構造を有する４Ｔｘコードブックを使用するかを特定するシグナリングを前記基地局から受信するための手段と、
前記基地局からの前記４Ｔｘ送信に対応するＣＳＩ報告のための４Ｔｘコードブックを決定するための手段と、ここにおいて、前記決定された４Ｔｘコードブックは、前記デュアルコードブック構造を有する複数の４Ｔｘコードブックのうちの１つであり、ここにおいて、前記デュアルコードブック構造を有する前記４Ｔｘコードブックが複数の報告されたインデックスを使用してインデックス付けされる、
前記インデックス付けされた４Ｔｘコードブックを使用して前記ＣＳＩ報告を生成するための手段と、
前記ＣＳＩ報告を基地局に送信するための手段と
を備える、ワイヤレス通信デバイス。
【請求項２０】
前記４Ｔｘコードブックが、ビームグリッド解像度、ビームグループのサイズ、ビームグループ間の重複、およびコフェージング精度のパラメータのうちの少なくとも１つに基づいて決定される、請求項１９に記載のワイヤレス通信デバイス。
【請求項２１】
各パラメータが、前記４Ｔｘコードブックを形成するために個々に適応可能である、請求項２０に記載のワイヤレス通信デバイス。
【請求項２２】
前記シグナリングは、明示的ビット、動的パラメータおよび半静的パラメータのうちの少なくとも１つに基づく、請求項１９に記載のワイヤレス通信デバイス。
【請求項２３】
基地局からの４送信アンテナ（４Ｔｘ）送信に対応するチャネル状態情報（ＣＳＩ）を報告するためのコンピュータプログラムであって、前記コンピュータプログラムは、
ワイヤレス通信デバイスに、デュアルコードブック構造を有する４Ｔｘコードブックを使用するかレガシー非デュアルコードブック構造を有する４Ｔｘコードブックを使用するかを特定するシグナリングを前記基地局から受信させるためのコードと、
前記ワイヤレス通信デバイスに、前記基地局からの前記４Ｔｘ送信に対応するＣＳＩ報告のための４Ｔｘコードブックを決定させるためのコードと、ここにおいて、前記決定された４Ｔｘコードブックは、前記デュアルコードブック構造を有する複数の４Ｔｘコードブックのうちの１つであり、ここにおいて、前記デュアルコードブック構造を有する前記４Ｔｘコードブックが複数の報告されたインデックスを使用してインデックス付けされる、
前記ワイヤレス通信デバイスに、前記インデックス付けされた４Ｔｘコードブックを使用して前記ＣＳＩ報告を生成させるためのコードと、
前記ワイヤレス通信デバイスに、前記ＣＳＩ報告を基地局に送信させるためのコードと
を備える、コンピュータプログラム。
【請求項２４】
前記４Ｔｘコードブックが、ビームグリッド解像度、ビームグループのサイズ、ビームグループ間の重複、およびコフェージング精度のパラメータのうちの少なくとも１つに基づいて決定される、請求項２３に記載のコンピュータプログラム。
【請求項２５】
各パラメータが、前記４Ｔｘコードブックを形成するために個々に適応可能である、請求項２４に記載のコンピュータプログラム。
【請求項２６】
前記シグナリングは、明示的ビット、動的パラメータおよび半静的パラメータのうちの少なくとも１つに基づく、請求項２３に記載のコンピュータプログラム。
【発明の詳細な説明】
【技術分野】
【０００１】
関連出願
[0001]本出願は、「CODEBOOK DESIGN AND CSI FEEDBACK FOR ENHANCED MIMO OPERATION IN LTE」と題する２０１３年３月８日に出願された米国仮特許出願第６１／７７５，０１６号に関し、その優先権を主張する。本出願はまた、「CODEBOOK DESIGN AND CSI FEEDBACK FOR ENHANCED MIMO OPERATION IN LTE」と題する２０１３年５月１０日に出願された米国仮特許出願第６１／８２１，８６７号に関し、その優先権を主張する。本出願はまた、「CODEBOOK DESIGN AND CSI FEEDBACK FOR ENHANCED MIMO OPERATION IN LTE」と題する２０１３年６月７日に出願された米国仮特許出願第６１／８３２，３１０号に関し、その優先権を主張する。
【０００２】
[0002]本開示は、一般にワイヤレス通信システムに関する。より詳細には、本開示は、ロングタームエボリューション（ＬＴＥ：Long Term Evolution）における拡張多入力多出力（ＭＩＭＯ：multiple-input and multiple-output）動作のためのコードブック設計およびチャネル状態情報（ＣＳＩ：channel state information）フィードバックのためのシステムおよび方法に関する。
【背景技術】
【０００３】
[0003]ワイヤレス通信システムは、音声、ビデオ、データなど、様々なタイプの通信コンテンツを提供するために広く展開されている。これらのシステムは、１つまたは複数の基地局との１つまたは複数のワイヤレス通信デバイスの同時通信をサポートすることが可能な多元接続システムであり得る。
【０００４】
[0004]すべての通信システムにおいて対処されなければならない問題は干渉である。受信された信号を復号することに関する問題があり得る。ワイヤレス通信において、これらの問題に対処する１つの方法は、チャネル状態情報（ＣＳＩ）フィードバックを利用することによる方法である。チャネル状態情報（ＣＳＩ）フィードバックの一部として、ワイヤレス通信デバイスは１つまたは複数の基地局にチャネル品質インジケータ（ＣＱＩ：channel quality indicator）値を送り得る。１つまたは複数の基地局は、ワイヤレス送信をスケジュールするためにチャネル品質インジケータ（ＣＱＩ）値を使用し得る。
【０００５】
[0005]コードブックの使用は、ワイヤレス通信デバイスが基地局にチャネル状態情報（ＣＳＩ）フィードバックのフォーマットを示すことを可能にする。異なるコードブックは異なる利益を与えることができる。たとえば、いくつかのコードブックは増加したペイロードを与え、いくつかは高いフィードバック精度を与え、いくつかのコードブックは低いオーバーヘッドを与える。利益は、チャネル状態情報（ＣＳＩ）フィードバックのために適応コードブックを使用することによって実現され得る。
【発明の概要】
【０００６】
[0006]チャネル状態情報（ＣＳＩ）報告のための方法について説明する。本方法は、基地局からの４送信アンテナ（４Ｔｘ）送信に対応するＣＳＩ報告のためのコードブックを決定することを含む。コードブックはデュアルコードブック（dual codebook）構造を有する。本方法はまた、コードブックを使用してＣＳＩ報告を生成することを含む。本方法は、ＣＳＩ報告を基地局に送信することをさらに含む。
【０００７】
[0007]デュアルコードブック構造はブロック対角ビームグリッド（block-diagonal grid of beams）構造であり得る。第１の行列は、各偏波についてビームグリッドを定義し得る。第２の行列は、ビームグループ内でのビーム選択とコフェージング（co-phasing）とを実行し得る。
【０００８】
[0008]コードブックは、ビームグリッド解像度、ビームグループのサイズ、ビームグループ間の重複、およびコフェージング精度のうちの少なくとも１つに基づいて決定され得る。パラメータの各々は、コードブックを形成するために個々に適応可能であり得る。
【０００９】
[0009]本方法はまた、明示的ビット、動的パラメータおよび半静的パラメータのうちの少なくとも１つに基づくシグナリングを使用してコードブックをシグナリングすることを含み得る。新しい報告タイプが、様々な報告モードでのプリコーディング行列インジケータ（ＰＭＩ：precoding matrix indicator）またはチャネル品質インジケータ（ＣＱＩ）のために費やされるビット数を調整するために定義され得る。
【００１０】
[0010]本方法はワイヤレス通信デバイスによって実行され得る。ワイヤレス通信デバイスは、複数の構成されたコードブックのうちのいずれがＣＳＩ報告のために使用されるべきかを決定し得る。
【００１１】
[0011]複数ユーザチャネル品質インジケータ仮定（hypothesis）はコードブック適応とは別のままであり得る。複数ユーザチャネル品質インジケータ仮定はコードブック適応に従い得る。本方法はまた、ＣＳＩ報告についての１１ビットペイロード制約を満たすためにコードブックサブサンプリングを実行することを含み得る。
【００１２】
[0012]また、基地局によるＣＳＩ報告のための方法について説明する。本方法は、基地局からの４Ｔｘ送信に対応するＣＳＩ報告のための、ワイヤレス通信デバイスによって使用されるコードブックを決定することを含む。コードブックはデュアルコードブック構造を有する。本方法はまた、ＣＳＩ報告を受信することを含む。本方法は、コードブックを使用してＣＳＩ報告を復号することをさらに含む。
【００１３】
[0013]また、ＣＳＩ報告のためのワイヤレス通信デバイスについて説明する。本ワイヤレス通信デバイスは、プロセッサと、プロセッサと電子通信しているメモリと、メモリに記憶された命令とを含む。本ワイヤレス通信デバイスは、基地局からの４Ｔｘ送信に対応するＣＳＩ報告のためのコードブックを決定する。コードブックはデュアルコードブック構造を有する。本ワイヤレス通信デバイスは、コードブックを使用してＣＳＩ報告を生成する。本ワイヤレス通信デバイスはＣＳＩ報告を基地局に送信する。
【００１４】
[0014]また、ＣＳＩ報告のための基地局について説明する。本基地局は、プロセッサと、プロセッサと電子通信しているメモリと、メモリに記憶された命令とを含む。本基地局は、本基地局からの４Ｔｘ送信に対応するＣＳＩ報告のための、ワイヤレス通信デバイスによって使用されるコードブックを決定する。コードブックはデュアルコードブック構造を有する。本基地局はＣＳＩ報告を受信する。本基地局は、コードブックを使用してＣＳＩ報告を復号する。
【００１５】
[0015]また、ＣＳＩ報告のためのワイヤレス通信デバイスについて説明する。本ワイヤレス通信デバイスは、基地局からの４Ｔｘ送信に対応するＣＳＩ報告のためのコードブックを決定するための手段を含む。コードブックはデュアルコードブック構造を有する。本ワイヤレス通信デバイスはまた、コードブックを使用してＣＳＩ報告を生成するための手段を含む。本ワイヤレス通信デバイスは、ＣＳＩ報告を基地局に送信するための手段をさらに含む。
【００１６】
[0016]また、ＣＳＩ報告のための基地局について説明する。本基地局は、本基地局からの４Ｔｘ送信に対応するＣＳＩ報告のための、ワイヤレス通信デバイスによって使用されるコードブックを決定するための手段を含む。コードブックはデュアルコードブック構造を有する。本基地局はまた、ＣＳＩ報告を受信するための手段を含む。本基地局は、コードブックを使用してＣＳＩ報告を復号するための手段をさらに含む。
【００１７】
[0017]また、ＣＳＩ報告のためのコンピュータプログラム製品について説明する。本コンピュータプログラム製品は、命令をその上に有する非一時的コンピュータ可読媒体を含む。命令は、ワイヤレス通信デバイスに、基地局からの４Ｔｘ送信に対応するＣＳＩ報告のためのコードブックを決定させるためのコードを含む。コードブックはデュアルコードブック構造を有する。命令はまた、ワイヤレス通信デバイスに、コードブックを使用してＣＳＩ報告を生成させるためのコードを含む。命令は、ワイヤレス通信デバイスに、ＣＳＩ報告を基地局に送信させるためのコードをさらに含む。
【００１８】
[0018]また、ＣＳＩ報告のためのコンピュータプログラム製品について説明する。本コンピュータプログラム製品は、命令をその上に有する非一時的コンピュータ可読媒体を含む。命令は、基地局に、基地局からの４Ｔｘ送信に対応するＣＳＩ報告のための、ワイヤレス通信デバイスによって使用されるコードブックを決定させるためのコードを含む。コードブックはデュアルコードブック構造を有する。命令はまた、基地局にＣＳＩ報告を受信させるためのコードを含む。命令は、基地局に、コードブックを使用してＣＳＩ報告を復号させるためのコードをさらに含む。
【図面の簡単な説明】
【００１９】
【図１】[0019]拡張ＭＩＭＯ動作のためのシステムおよび方法が実行され得る、複数のワイヤレスデバイスをもつワイヤレス通信システムを示す図。
【図２】[0020]本明細書で開示するシステムおよび方法に従って動作する無線ネットワークを示すブロック図。
【図３】[0021]コードブック適応を使用するＣＳＩ報告のための方法の流れ図。
【図４】[0022]コードブック適応を使用するＣＳＩ報告を取得するための方法の流れ図。
【図５】[0023]コードブック適応を使用する周期ＣＳＩ報告のための方法の流れ図。
【図６】[0024]ＭＩＭＯシステムにおける送信機および受信機のブロック図。
【図７】[0025]ワイヤレス通信デバイス内に含まれ得るいくつかの構成要素を示す図。
【図８】[0026]基地局内に含まれ得るいくつかの構成要素を示す図。
【発明を実施するための形態】
【００２０】
[0027]第３世代パートナーシッププロジェクト（３ＧＰＰ：3rd Generation Partnership Project）は、グローバルに適用可能な第３世代（３Ｇ）モバイルフォン仕様を定義することを目的とする電気通信協会のグループ間のコラボレーションである。３ＧＰＰロングタームエボリューション（ＬＴＥ）は、ユニバーサルモバイルテレコミュニケーションズシステム（ＵＭＴＳ：Universal Mobile Telecommunications System）モバイルフォン規格を改善することを目的とした３ＧＰＰプロジェクトである。３ＧＰＰは、次世代のモバイルネットワーク、モバイルシステムおよびモバイルデバイスのための仕様を定義し得る。３ＧＰＰ  ＬＴＥでは、移動局またはモバイルデバイスは「ユーザ機器」（ＵＥ）と呼ばれることがある。
【００２１】
[0028]本明細書で開示するシステムおよび方法は、３ＧＰＰリリース８、３ＧＰＰリリース９、３ＧＰＰリリース１０、３ＧＰＰリリース１１、３ＧＰＰリリース１２、ＬＴＥおよびロングタームエボリューションアドバンスト（ＬＴＥ−Ａ：Long Term Evolution Advanced）など、１つまたは複数の仕様に関して説明され得る。ただし、概念は他のワイヤレス通信システムにも適用され得る。
【００２２】
[0029]次に、図を参照しながら様々な構成について説明する。同様の参照番号は機能的に同様の要素を示し得る。本明細書で概して説明し、図に示すシステムおよび方法は、多種多様な異なる構成で構成および設計され得る。したがって、図に表されるいくつかの構成についての以下のより詳細な説明は、請求する範囲を限定するものではなく、システムおよび方法を代表するものにすぎない。
【００２３】
[0030]図１に、拡張ＭＩＭＯ動作のためのシステムおよび方法が実行され得る、複数のワイヤレスデバイスをもつワイヤレス通信システム１００を示す。ワイヤレス通信システム１００は、音声、データなど、様々なタイプの通信コンテンツを提供するために広く展開されている。ワイヤレスデバイスはワイヤレス通信デバイス１０４または基地局１０２であり得る。ワイヤレス通信デバイス１０４と基地局１０２の両方は、複数コードブック１０８プロシージャを使用するように構成され得る。
【００２４】
[0031]基地局１０２は１つまたは複数のワイヤレス通信デバイス１０４と通信する局である。基地局１０２は、アクセスポイント、ブロードキャスト送信機、ノードＢ、発展型ノードＢなどと呼ばれることもあり、それらの機能の一部または全部を含み得る。本明細書では「基地局」という用語を使用する。各基地局１０２は特定の地理的エリアに通信カバレージを与える。基地局１０２は１つまたは複数のワイヤレス通信デバイス１０４に通信カバレージを与え得る。「セル」という用語は、この用語が使用されるコンテキストに応じて基地局１０２および／またはそれのカバレージエリアを指すことがある。
【００２５】
[0032]ワイヤレス通信デバイス１０４は、端末、アクセス端末、ユーザ機器（ＵＥ）、加入者ユニット、局などと呼ばれることもあり、それらの機能の一部または全部を含み得る。ワイヤレス通信デバイス１０４は、セルラーフォン、携帯情報端末（ＰＤＡ）、ワイヤレスデバイス、ワイヤレスモデム、ハンドヘルドデバイス、ラップトップコンピュータなどであり得る。
【００２６】
[0033]ワイヤレスシステム（たとえば、多元接続システム）における通信は、ワイヤレスリンクを介した送信によって達成され得る。そのような通信リンクは、単入力単出力（ＳＩＳＯ）、多入力単出力（ＭＩＳＯ）、多入力多出力（ＭＩＭＯ）、または多地点協調（ＣｏＭＰ：coordinated multipoint）システムを介して確立され得る。ＭＩＭＯシステムは、それぞれ、データ伝送のための複数（ＮＴ）個の送信アンテナと複数（ＮＲ）個の受信アンテナとを装備した、（１つまたは複数の）送信機と（１つまたは複数の）受信機とを含む。ＳＩＳＯシステムおよびＭＩＳＯシステムはＭＩＭＯシステムの特定の事例である。複数の送信アンテナおよび受信アンテナによって生成された追加の次元数が利用された場合、ＭＩＭＯシステムは、改善された性能（たとえば、より高いスループット、より大きい容量または改善された信頼性）を与えることができる。
【００２７】
[0034]ワイヤレス通信システム１００はＭＩＭＯを利用し得る。ＭＩＭＯシステムは、時分割複信（ＴＤＤ）システムと周波数分割複信（ＦＤＤ）システムの両方をサポートし得る。ＴＤＤシステムでは、アップリンク１２６送信とダウンリンク１２４送信とが同じ周波数領域上で行われるので、相反定理（reciprocity principle）によりアップリンク１２６チャネルからのダウンリンク１２４チャネルの推定が可能である。これにより、送信ワイヤレスデバイスは、その送信ワイヤレスデバイスが受信した通信から送信ビームフォーミング利得を抽出することが可能になる。
【００２８】
[0035]ワイヤレス通信システム１００は、利用可能なシステムリソース（たとえば、帯域幅および送信電力）を共有することによって複数のワイヤレス通信デバイス１０４との通信をサポートすることが可能な多元接続システムであり得る。そのような多元接続システムの例としては、符号分割多元接続（ＣＤＭＡ）システム、広帯域符号分割多元接続（Ｗ−ＣＤＭＡ（登録商標））システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、第３世代パートナーシッププロジェクト（３ＧＰＰ）ロングタームエボリューション（ＬＴＥ）システム、および空間分割多元接続（ＳＤＭＡ）システムがある。
【００２９】
[0036]「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、Ｗ−ＣＤＭＡと低チップレート（ＬＣＲ）とを含み、ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ＩＥＥＥ８０２．１１、ＩＥＥＥ８０２．１６、ＩＥＥＥ８０２．２０、Ｆｌａｓｈ−ＯＦＤＭＡなどの無線技術を実装し得る。ＵＴＲＡ、Ｅ−ＵＴＲＡ、およびＧＳＭは、ユニバーサルモバイルテレコミュニケーションシステム（ＵＭＴＳ：Universal Mobile Telecommunication System）の一部である。ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）と称する団体からの文書に記載されている。ｃｄｍａ２０００は、「第３世代パートナーシッププロジェクト２」（３ＧＰＰ２：3rd Generation Partnership Project 2）と称する団体からの文書に記載されている。明快のために、本技法のいくつかの態様について以下ではＬＴＥに関して説明し、以下の説明の大部分でＬＴＥ用語を使用する。
【００３０】
[0037]ワイヤレス通信デバイス１０４は、所与の瞬間において、ダウンリンク１２４および／またはアップリンク１２６上で０、１つ、または複数の基地局１０２と通信し得る。ダウンリンク１２４とアップリンク１２６の両方上で基地局１０２とワイヤレス通信デバイス１０４との間で複数のチャネルが使用され得る。物理アップリンク共有チャネル（ＰＵＳＣＨ：physical uplink shared channel）が、ワイヤレス通信デバイス１０４から基地局１０２にユーザデータを送信するために使用され得る。物理アップリンク制御チャネル（ＰＵＣＣＨ：physical uplink control channel）が、ワイヤレス通信デバイス１０４から基地局１０２にユーザシグナリングデータをトランスポートするために使用され得る。物理ダウンリンク共有チャネル（ＰＤＳＣＨ：physical downlink shared channel）が、基地局１０２からワイヤレス通信デバイス１０４に共通ユーザデータと制御情報とを送信するために使用され得る。物理ダウンリンク制御チャネル（ＰＤＣＣＨ：physical downlink control channel）が、基地局１０２からワイヤレス通信デバイス１０４に制御情報を送信するために使用され得る。
【００３１】
[0038]１つまたは複数の基地局１０２から受信された通信に基づいて、ワイヤレス通信デバイス１０４は、チャネル品質インジケータ（ＣＱＩ）、プリコーディング行列インジケータ（ＰＭＩ）およびランクインジケータ（ＲＩ：rank indicator）など、１つまたは複数のタイプのチャネル状態情報（ＣＳＩ）を生成し得る。各チャネル品質インジケータ（ＣＱＩ）は、基地局１０２とワイヤレス通信デバイス１０４との間のダウンリンク１２４のチャネルについてのチャネル測定値に関連し得る。各チャネル品質インジケータ（ＣＱＩ）はいくつかの干渉仮定（assumption）を条件とし得る。チャネル品質インジケータ（ＣＱＩ）は、ワイヤレス通信システムにおいて使用される送信方式に依存し得る。
【００３２】
[0039]ワイヤレス通信デバイス１０４は、好ましいビームを決定するためにＣＳＩフィードバック情報を使用し得る。好ましいビームは、基地局１０２によってワイヤレス通信デバイス１０４に送信される信号についてのアンテナ構造、重み、送信方向および位相を参照し得る。「ビーム」および「プリコーディングベクトル」という用語は、データがアンテナからワイヤレスにストリーミングされる方向を指すことがある。多入力多出力（ＭＩＭＯ）では、基地局１０２とワイヤレス通信デバイス１０４との間で情報を送信するために複数のビームが使用され得る。したがって、好ましいビームは、基地局１０２とワイヤレス通信デバイス１０４との間の最良（すなわち、最適）データストリームを生成するビームを指すことがある。
【００３３】
[0040]マルチユーザ多入力多出力（ＭＵ−ＭＩＭＯ）は、基地局１０２リソースをよりインテリジェントに利用することによって、旧来のシングルユーザ多入力多出力（ＳＵ−ＭＩＭＯ）よりもダウンリンク１２４上でのユーザスループットを増加させ得る。マルチユーザ多入力多出力（ＭＵ−ＭＩＭＯ）は、単一のワイヤレス通信デバイス１０４へのデュアルストリーム送信と比較して、特定の送信時間間隔（ＴＴＩ：transmission time interval）についてスループットの増加を可能にし得る。したがって、基地局１０２は、単一のワイヤレス通信デバイス１０４のためのデュアルダウンリンク１２４データストリーム（すなわち、ＳＵ−ＭＩＭＯ）を使用すべきなのか、第１のワイヤレス通信デバイス１０４のための第１のデータストリームと第２のワイヤレス通信デバイス１０４のための（たとえば、第１のデータストリームに直交する）第２のデータストリームと（すなわち、マルチユーザ多入力多出力（ＭＵ−ＭＩＭＯ））を使用すべきなのかを決定し得る。
【００３４】
[0041]ＣＳＩフィードバック情報は、シングルストリーム送信またはデュアルストリーム送信についての要求に対応し得る。たとえば、ワイヤレス通信デバイス１０４は複数のチャネル品質インジケータ（ＣＱＩ）を含み得る。ワイヤレス通信デバイス１０４は、各送信時間間隔（ＴＴＩ）について複数のチャネル品質インジケータ（ＣＱＩ）を生成し得る。ワイヤレス通信デバイス１０４は、あらゆる送信時間間隔（ＴＴＩ）についてあらゆるチャネル品質インジケータ（ＣＱＩ）を基地局１０２に送るとは限らない。いくつかの構成では、ワイヤレス通信デバイス１０４は、各送信時間間隔（ＴＴＩ）について最適チャネル品質インジケータ（ＣＱＩ）のみを基地局１０２に送り得る。
【００３５】
[0042]ワイヤレス通信デバイス１０４が、それが基地局１０２に関して良好なジオメトリを有する（たとえば、基地局１０２とワイヤレス通信デバイス１０４との間のチャネル品質がしきい値を上回る）と決定した場合、ワイヤレス通信デバイス１０４は最適デュアルストリーム多入力多出力（ＭＩＭＯ）チャネル品質インジケータ（ＣＱＩ）を基地局１０２に送り得る。ワイヤレス通信デバイス１０４が、それが基地局１０２に関して不良なジオメトリを有する（たとえば、基地局１０２とワイヤレス通信デバイス１０４との間のチャネル品質がしきい値を下回る）と決定した場合、ワイヤレス通信デバイス１０４は最適シングルストリーム多入力多出力（ＭＩＭＯ）チャネル品質インジケータ（ＣＱＩ）を基地局１０２に送り得る。
【００３６】
[0043]ワイヤレス通信デバイス１０４はＣＳＩ報告送信モジュール１０６を含み得る。ＣＳＩ報告送信モジュール１０６は、ＣＳＩ報告１３２を生成し、これらのＣＳＩ報告１３２を基地局１０２に送信し得る。これらのＣＳＩ報告１３２は、ＭＩＭＯを使用する、基地局１０２からワイヤレス通信デバイス１０４へのダウンリンク１２４チャネルに関する情報を基地局１０２に与えるので、これらのＣＳＩ報告１３２はＤＬ  ＭＩＭＯ  ＣＳＩフィードバックと呼ばれることがある。ＤＬ  ＭＩＭＯ  ＣＳＩフィードバックは周期的にまたは非周期的に報告され得る。
【００３７】
[0044]ワイヤレス通信デバイス１０４は、各ＣＳＩ報告１３２のためにコードブック１０８ａ（あらかじめ同意されたパラメータのセット）を使用し得る。コードブック１０８ａは、どんな情報がＣＳＩ報告１３２中に含まれるかと、ＣＳＩ報告１３２のフォーマッティングとを含めて、受信されたＣＳＩ報告１３２をどのように解釈すべきかに関して基地局１０２に命令し得る。
【００３８】
[0045]コードブック１０８は、基地局１０２によって使用される送信アンテナ数に応じて異なる構造を有し得る。８Ｔｘ（すなわち、基地局１０２によって使用される８送信アンテナ）のためのコードブック１０８構造が定義されている。このコードブック１０８構造は、交差偏波（Ｘ−ｐｏｌ：cross-polarized）アンテナ構造に適合されたデュアルコードブック１０８構造を定義する。この構造は、事業者からの選好によって、および８Ｔｘ−ＵＬＡ（均一線形アレイ：uniform linear array）の大きいフォームファクタによって誘導される。
【００３９】
[0046]８Ｔｘのためのコードブック１０８構造はブロック対角ビームグリッド（ＧｏＢ：grid of beams）構造Ｗ＝Ｗ1・Ｗ2を定義する。一構成では、Ｗ1は長期および／またはワイドバンドチャネルについてのプロパティに対応し得、Ｗ2は短期および／またはナローバンドチャネルについてのプロパティに対応し得る。
【００４０】
[0047]ＧｏＢ構造において、Ｗ1行列１１８は、
【数１】
0006599239.tif 000002
【００４１】
として定義される８×２Ｎｂ行列である。Ｗ1行列１１８内で、Ｘは、各偏波についてＧｏＢを定義する４×Ｎb行列である。Ｎbはビームグループ内のビームの数を表す。Ｗ1行列１１８はワイドバンドについてのみ報告されるので、Ｗ1行列１１８ごとに複数の重複ビームグループを有することは、Ｗ2行列１２０が、サブバンドごとにビームグループ内の最適ビームの中から選択することを可能にする。Ｗ2行列１２０は２Ｎb×ｒ行列である。Ｗ2行列１２０はビームグループ内でのビーム選択とコフェージングとを実行する。Ｗ2において、ｒは選択された送信ランクを示す。
【００４２】
[0048]しかしながら、（８Ｔｘ事例において使用される）Ｗ1行列１１８とＷ2行列１２０とを含むデュアルコードブック１０８構造は、４Ｔｘ（すなわち、基地局１０２によって使用される４送信アンテナ）のために定義されていない。一構成では、４Ｔｘのためのコードブック１０８構造は、８Ｔｘのために定義されたブロック対角ＧｏＢ構造を保持し得る。したがって、Ｗ1行列１１８は、
【数２】
0006599239.tif 000003
【００４３】
として定義される４×２Ｎb行列であり得る。Ｗ1行列１１８内で、Ｘは、各偏波についてＧｏＢを定義する２×Ｎb行列であり得る。Ｗ2行列１２０は２Ｎb×ｒ行列であり得る。８Ｔｘのために使用されるのと同じブロック対角ＧｏＢ構造を４Ｔｘのために使用することの利益は、コードブック１０８構造が、実際には重要なシナリオであるＸ−ｐｏｌ展開に適合されたままであることである。さらに、重複ビームグループは、単一のＷ1行列１１８がシステム帯域幅全体にわたって最適であり得るという利益を有する（重複がエッジ効果を回避する）。
【００４４】
[0049]Ｗ1行列１１８とＷ2行列１２０とを含むデュアルコードブック１０８は１つまたは複数のパラメータに応じて定義され得る。これらのパラメータは、ＧｏＢ解像度１１０と、ビームグループ１１２のサイズと、ビームグループ１１４間の重複と、コフェージング精度１１６（たとえば、Ｗ2ペイロードの影響）とを含み得る。
【００４５】
[0050]コードブック１０８（およびコードブック１０８のために使用されるパラメータ）を選択するとき、２つのトレードオフが考慮されるべきである。第１のトレードオフは全体的精度対フィードバックオーバーヘッドである。ワイヤレス通信デバイス１０４の計算態様も考慮される必要がある。第２のトレードオフはＷ1対Ｗ2ペイロードトレードオフである。Ｗ1は報告されたワイドバンドであるが、Ｗ2は報告されたサブバンドである。
【００４６】
[0051]コードブック１０８を生成するために使用されるパラメータは、８Ｔｘから４Ｔｘに進むときに再検討されるべきである。適応可能なコードブック１０８を使用することによって、コードブック１０８中のパラメータの各々は独立して構成され得る（本明細書ではコードブック適応と呼ぶ）。コードブック適応は、異なるアンテナ構成および／またはチャネル状態（たとえば、見通し線（ＬｏＳ：line of sight）対非見通し線（ＮＬｏＳ：non-line of sight））にわたって妥協しなければならないことを回避する。コードブック適応はコードブック１０８中のパラメータ（すなわち、ＧｏＢ解像度１１０、ビームグループのサイズ１１２、ビームグループ間の重複１１４およびコフェージング精度１１６）のいずれかに関与し得る。コードブック適応はまた、上述のパラメータがそれに関連しないことがある、異なる構造をもつコードブック１０８（たとえば、レガシー４Ｔｘコードブック１０８）の選択を含み得る。
【００４７】
[0052]コードブック１０８パラメータ最適化のための設計の選択肢を以下の表１に与える（ただし、他のパラメータ組合せも考慮され得る）。
【表１】
0006599239.tif 000004
【００４８】
[0053]一例では、コードブック適応は２つのパラメータセットをサポートし得る。１つのパラメータセットは高フィードバック精度に適合され得、１つのパラメータセットは低オーバーヘッドに適合され得る。コードブック適応はまた、レガシーＲｅｌ−８ハウスホルダー（ＨＨ）コードブック１０８と、本明細書で説明するシステムおよび方法による拡張デュアルコードブック１０８との間で切り替えることを考慮し得る。Ｒｅｌ−８コードブック１０８はランク３およびランク４動作のために十分であり得る。この場合、より高いランクについてフィードバックオーバーヘッドを低減するためにワイドバンドに関してのみプリコーディング行列を報告することが望ましいことがある。
【００４９】
[0054]上記で説明したように、ブロック対角ＧｏＢ構造Ｗ＝Ｗ１・Ｗ２が４Ｔｘのためのデュアルコードブック１０８構造のために使用され得る。したがって、ＣＳＩ報告１３２は、それぞれＷ1行列１１８およびＷ2行列１２０に対応するインデックスを含み得る。ＣＳＩ報告１３２は基地局１０２に与えられ得る。基地局１０２はＣＳＩ報告復号モジュール１２２を含み得る。ＣＳＩ報告復号モジュール１２２は、ＣＳＩ報告１３２を受信し、適切なコードブック１０８ｂを使用してＣＳＩ報告１３２を復号するために基地局１０２によって使用され得る。いくつかの構成では、ＣＳＩ報告復号モジュール１２２はまた、ワイヤレス通信デバイス１０４がどのコードブック１０８ｂを使用すべきかをワイヤレス通信デバイス１０４にシグナリングし得る。
【００５０】
[0055]一構成では、コードブック１０８ｂは明示的に定義され得る。たとえば、仕様が各コードブック１０８のリスティングを明示的に含み得る。１つまたは複数のコードブック１０８が定義され、コードブック適応を可能にし得る。言い換えれば、コードブック１０８パラメータは明示的に定義され得る。
【００５１】
[0056]別の構成では、コードブック１０８パラメータは、（あらかじめ設定されたコードブック１０８を使用するのではなく）明示的にシグナリングされ得る。コードブック１０８に対応するパラメータのセットが定義され得、これらの定義されたパラメータは、各コードブック１０８のために（たとえば、ＲＲＣシグナリングを通して）シグナリングされ得る。コードブック１０８パラメータのおそらく任意の組合せが可能にされ得るので、これはより大きいフレキシビリティを可能にする。しかしながら、これは、潜在的により多数のコードブック１０８を管理することのワイヤレス通信デバイス１０４複雑さの増加という欠点を有する。いくつかのパラメータ組合せは、予約済みであり、あらかじめ定義されたコードブック１０８構造に関連し得る。たとえば、レガシー４Ｔｘ  Ｒｅｌ−８  ＬＴＥコードブック１０８が使用され得る。
【００５２】
[0057]送信モード１０（ＴＭ１０）では、複数のＣＳＩプロセスがサポートされる。各ＣＳＩプロセスは特定のチャネルおよび干渉仮定に対応し得る。複数のシグナリングオプションが考慮され得る。第１のシグナリングオプションでは、コードブック１０８は、すべての構成されたＣＳＩプロセスにわたって共通であり得る。これは、単純であるが、柔軟性がない。第２のシグナリングオプションでは、ＣＳＩプロセスごとに単一のコードブック１０８が構成され得る。ＣＳＩプロセスごとのコードブック１０８の構成は、ネットワークが、異なる精度レベルをもつ異なる送信ポイントについてＣＳＩを報告することを可能にする。このスケーラブルフィードバックは、ＣＳＩ精度対アップリンク１２６オーバーヘッドに関する異なるトレードオフが達成可能であり得るので、有益であり得る。
【００５３】
[0058]第３のシグナリングオプションでは、ＣＳＩプロセスごとに１つまたは複数のコードブック１０８が構成され得る。これは、構成されたコードブック１０８のうちの１つのコードブック１０８の動的選択を可能にする。コードブック１０８は、明示的ビットに基づく動的シグナリング、動的パラメータに基づく暗黙的シグナリング、または半静的パラメータに基づく暗黙的シグナリングを使用してシグナリングされ得る。
【００５４】
[0059]明示的ビットに基づく動的シグナリングの場合、１つまたは複数のコードブック１０８のうちのいずれが選択されるべきかをシグナリングするためにダウンリンク制御情報（ＤＣＩ：downlink control information）中で新しいビットが定義され得る。また、（既存のＤＣＩビットによって定義される）既存であるが未使用のコードポイントが同等に使用され得る。何らかの形態のブロードキャストシグナリングも使用され得る。ブロードキャストシグナリングの使用は、（たとえば、複数ユーザ多入力多出力（ＭＵ−ＭＩＭＯ）動作の改善のために）複数のワイヤレス通信デバイス１０４が同じコードブック１０８を使用することが有益であり得ることによって誘導され得る。多数のワイヤレス通信デバイス１０４を同時に切り替えることも有益であり得る。ブロードキャストシグナリングはシグナリングオーバーヘッドを節約し得る。
【００５５】
[0060]動的パラメータに基づく暗黙的シグナリングの場合、特定のＣＳＩ要求フィールドを受信したときにどのＣＳＩプロセスを報告すべきかを識別するセット（すなわち、非周期ＣＳＩトリガリングテーブルにリンクされたセット）中のエントリが、どのＣＳＩプロセスを報告すべきかと、どのコードブック１０８を使用すべきかとを識別するように修正され得る。選択されたコードブック１０８は、ＣＳＩ報告１３２に関連するサブフレームサブセット、および／または（たとえば、共通またはワイヤレス通信デバイス固有の探索空間上で受信された、レガシーＰＤＣＣＨまたは拡張ＰＤＣＣＨ（ＥＰＤＣＣＨ）を通して受信された）報告をトリガするＤＣＩのパラメータといった、１つまたは複数のパラメータに関連し得る。
【００５６】
[0061]半静的パラメータに基づく暗黙的シグナリングの場合、ＣＳＩプロセスの周期対非周期報告のために異なるコードブック１０８が使用され得る。たとえば、高精度コードブック１０８が非周期報告のために使用され得、低グラニュラリティコードブック１０８が周期報告のために使用され得る。また、特定のコードブック１０８の選択が周期／非周期報告モードに関連付けられ得る。
【００５７】
[0062]コードブック適応の使用は、アップリンク１２６に関する詳細を符号化／報告することの一部として考慮に入れられ得る可変アップリンク１２６オーバーヘッドをもたらし得る。非周期フィードバックの場合、ＰＭＩおよびＣＱＩの符号化は、Ｒｅｌ−１１において使用されているのと同じ連結（concatenation）ルールに従うことができる。この場合、ネットワークは、使用されるコードブック１０８に気づいており、受信されたＣＳＩ報告１３２を問題なしに復号することができる。
【００５８】
[0063]周期ＣＳＩフィードバックの場合、様々な報告モードでのＰＭＩおよび／またはＣＱＩのために費やされるビット数を調整するために、新しい報告タイプが定義され得る。各コードブック１０８のための個別の報告タイプが定義されない場合、追加のステップがとられ得る。たとえば、ＰＭＩおよび／またはＣＱＩビット幅が、対応する報告タイプよりも小さい場合、ゼロパディングが実行され得る。０のロケーションはネットワークに知られていることがあり、ネットワークは０のロケーションを仮想巡回冗長検査（ＣＲＣ：cyclic redundancy check）の形態として使用し得る。各コードブック１０８のための個別の報告タイプを定義しないことによって、より少数の報告タイプが定義される必要があり、これは付加利益である。周期ＣＳＩフィードバックおよび報告タイプについて、図５に関してより詳細に説明する。
【００５９】
[0064]ワイヤレス通信デバイス１０４は、ネットワークが、どのコードブック１０８が選択／構成されるべきかを決定するのを助けるために支援を行い得る。コードブック適応がＣＳＩプロセスごとにサポートされる場合、複数のＣＳＩプロセスがワイヤレス通信デバイス１０４のために構成され得る。複数のＣＳＩプロセスは、同じチャネルおよび干渉構成を有するが、異なるコードブック１０８構成を有し得る。一構成では、ワイヤレス通信デバイス１０４は各コードブック１０８についてＣＳＩ報告１３２を生成し得る。ネットワークは、各コードブック１０８についてＣＳＩ報告１３２を受信し、次いで、どのコードブック１０８がＣＳＩ報告により適しているかを決定し得る。これは、ワイヤレス通信デバイス１０４に対して透過的であり得る。
【００６０】
[0065]一構成では、ワイヤレス通信デバイス１０４が、複数の構成された（すなわち、候補）コードブック１０８のうちのいずれがＣＳＩ報告のために使用されるべきかを決定し得る。ワイヤレス通信デバイス１０４は、何らかの形態のコードブックタイプインジケータ（ＣＴＩ：codebook type indicator）を通して、選択されたコードブック１０８をネットワークに通知し得る。ワイヤレス通信デバイス１０４は、少なくとも部分的に、ダウンリンク１２４対アップリンク１２６トラフィック特性（たとえば、ダウンリンク１２４利得が追加のアップリンク１２６オーバーヘッドに値するか？）と、バッテリー節約考慮事項（たとえば、バッテリー寿命が、大きい／小さいアップリンク１２６オーバーヘッドを有することによってどのように影響を及ぼされるか？）と、チャネル統計値（たとえば、チャネルの周波数／時間選択性が、予期されたＣＳＩフィードバック精度にどのように影響を及ぼすか？）と、量子化精度（たとえば、一方のコードブック１０８が、もう一方よりもはるかに小さい量子化誤差をもたらすか？）とに基づいて、選択すべきコードブック１０８を決定し得る。ネットワークはまた、ワイヤレス通信デバイス１０４がコードブック１０８選択を行うのを助けるために、シグナリングまたは他の支援を行い得る。
【００６１】
[0066]複数ユーザＣＱＩ（ＭＵ−ＣＱＩ）フィードバックがＲｅｌ−８  ４Ｔｘコードブック１０８を用いて実行され得る。ワイドバンドＭＵ−ＣＱＩオフセットが、共同スケジュールされたレイヤについての仮定のセットの下で計算され得る。たとえば、各仮定はコードブック１０８中のランク１プリコーダに関連し得る。異なる仮定が考慮され得、共同スケジュールされたプリコーダが、少なくとも部分的に、所望のレイヤの選択されたＰＭＩに基づいて取得され得る。異なる仮定の数と取得された共同スケジュールされたプリコーダの数とは値Ｋによって表され得る。以下の表２に異なるランクについての所望のレイヤとＭＵ−ＭＩＭＯ関係情報とを与える。
【表２】
0006599239.tif 000005
【００６２】
[0067]表２において、「ＳＵ−ＣＱＩ」はシングルユーザチャネル品質インジケータを表す。さらに、「ｗｂ」は、ワイドバンドで報告される情報を表し、「ｓｂ」は、サブバンドで報告される情報を表す。
【００６３】
[0068]ＭＵ−ＣＱＩフィードバックはコードブック適応に加えて構成され得る。一構成では、ＭＵ−ＣＱＩ仮定はコードブック適応とは別のままであり得る。したがって、（他のワイヤレス通信デバイス１０４の）共同スケジュールされたレイヤをエミュレートするために使用されるコードブック１０８は、ワイヤレス通信デバイス１０４がＣＳＩフィードバックのために使用するコードブック１０８とは異なり得る、固定コードブック１０８を使用し得る。別の構成では、ＭＵ−ＣＱＩ仮定は、本明細書で説明するコードブック適応に従い得る。したがって、ＭＵ−ＣＱＩ仮定のセットはコードブック１０８ごとに定義され得る。ワイヤレス通信デバイス１０４がコードブック１０８を切り替えるとき、ワイヤレス通信デバイス１０４は、ＭＵ−ＣＱＩ仮定がどのように定義されるかに関する仮定をも切り替え得る。
【００６４】
[0069]ＭＵ−ＣＱＩ仮定は、Ｗ1行列１１８選択のみに基づいて定義され得る。同じＷ1行列１１８に関連する異なるＷ2行列１２０について個別の仮定を有する必要はないことがある。これは、考慮される必要があるより少ない数の仮定を生じる。ＭＵ−ＣＱＩ計算のために使用される共同スケジュールされたＷ1行列１１８は、少なくとも部分的に、ワイヤレス通信デバイス１０４の所望のレイヤのために決定されたＷ1行列１１８に基づいて選択され得る。たとえば、ＭＵ−ＭＩＭＯは、Ｗ1行列１１８領域中の擬似直交ワイヤレス通信デバイス１０４を選定することによって実行され得る。
【００６５】
[0070]図２は、本明細書で開示するシステムおよび方法に従って動作する無線ネットワーク２００を示すブロック図である。ネットワーク２００は、１つまたは複数のワイヤレス通信デバイス２０４と１つまたは複数の基地局２０２とを含み得る。ワイヤレス通信デバイス２０４は、図１に関して説明したワイヤレス通信デバイス１０４に従って動作し得る。さらに、基地局２０２は、図１に関して説明した基地局１０２に従って動作し得る。
【００６６】
[0071]一構成では、ワイヤレス通信デバイス２０４はＣＳＩ報告送信モジュール２０６を含み得る。ＣＳＩ報告送信モジュールは、コードブック２０８ａに基づいてＣＳＩ報告２３２を作成し得る。ワイヤレス通信デバイス２０４は、アップリンクシンボル２３０中でＣＳＩ報告２３２を基地局２０２に送り得る。ワイヤレス通信デバイス２０４はアップリンク２２６上でアップリンクシンボル２３０を送り得る。一構成では、アップリンクシンボル２３０は物理アップリンク共有チャネル（ＰＵＳＣＨ）または物理アップリンク制御チャネル（ＰＵＣＣＨ）上で送られる。
【００６７】
[0072]アップリンクシンボル２３０は、ワイヤレス送信をスケジュールするために基地局２０２によって使用され得るチャネル状態情報（ＣＳＩ）を含み得る。一構成では、アップリンクシンボル２３０はチャネル状態情報（ＣＳＩ）報告２３２を含み得る。チャネル状態情報（ＣＳＩ）報告２３２は、チャネル品質インジケータ（ＣＱＩ）情報２３８と、プリコーディング行列インジケータ（ＰＭＩ）情報２３６と、ランクインジケータ（ＲＩ）情報２３４との組合せを含み得る。
【００６８】
[0073]ランクインジケータ（ＲＩ）２３４は、チャネル上でサポートされ得るレイヤの数（たとえば、ワイヤレス通信デバイス２０４が区別することができるレイヤの数）を示し得る。（たとえば、ＭＩＭＯ送信における）空間多重化は、ランクインジケータ（ＲＩ）２３４が１よりも大きいときのみサポートされ得る。プリコーディング行列インジケータ（ＰＭＩ）２３６は、基地局２０２が、受信された基準信号についてのワイヤレス通信デバイス２０４による評価に基づいて複数のアンテナ上でのデータ送信のために使用し得る、コードブック２０８（たとえば、あらかじめ同意されたパラメータ）からのプリコーダを示し得る。
【００６９】
[0074]コードブック２０８は、どんな情報がＣＳＩ報告２３２中に含まれるかと、ＣＳＩ報告２３２のフォーマッティングとを含めて、受信されたＣＳＩ報告２３２をどのように解釈すべきかに関して基地局２０２に命令し得る。たとえば、ＣＳＩ報告モジュール２０６は、基地局２０２からの４送信アンテナ（４Ｔｘ）送信に対応するＣＳＩ報告２３２のためのコードブック２０８ａを決定し得る。一構成では、コードブック２０８ａはデュアルコードブック構造を有し得る。コードブック２０８ａ構造は、図１に関して説明したように、ブロック対角ビームグリッド（ＧｏＢ）構造であり得る。
【００７０】
[0075]ＣＳＩ報告モジュール２０６は、１つまたは複数のパラメータに基づいてコードブック２０８を適応させ得る。たとえば、ＣＳＩ報告モジュール２０６は、ＧｏＢ解像度１１０、ビームグループのサイズ１１２、ビームグループ間の重複１１４および／またはコフェージング精度１１６に基づいてコードブック２０８を適応させ得る。コードブック適応は、ＣＳＩ報告２３２の精度とフィードバックオーバーヘッドとのバランスをとるように実行され得る。
【００７１】
[0076]基地局２０２はＣＳＩ報告復号モジュール２２２を含み得る。基地局２０２はＣＳＩ報告２３２を受信し得る。ＣＳＩ報告復号モジュール２２２は、ＣＳＩ報告２３２を生成するために使用されるコードブック２０８を決定し得る。基地局２０２は、コードブック２０８ｂに基づいてＣＳＩ報告２３２を復号し得る。
【００７２】
[0077]図３は、コードブック適応を使用するＣＳＩ報告のための方法３００の流れ図である。方法３００はワイヤレス通信デバイス１０４によって実行され得る。一構成では、ワイヤレス通信デバイス１０４は、基地局１０２からワイヤレス通信デバイス１０４への４Ｔｘダウンリンク１２４送信に対応するＣＳＩ報告１３２を与え得る。コードブック適応は、ワイヤレス通信デバイス１０４が１つまたは複数のコードブック１０８を使用することを可能にし得る。
【００７３】
[0078]３０２において、ワイヤレス通信デバイス１０４はＣＳＩ報告１３２のためのコードブック１０８を決定する。一構成では、コードブック１０８はデュアルコードブック構造を有し得る。たとえば、コードブック１０８はブロック対角ビームグリッド（ＧｏＢ）構造を有し得る。第１の行列（たとえば、Ｗ１行列１１８）は、各偏波についてビームグリッドを定義し得る。第２の行列（たとえば、Ｗ２行列１２０）は、ビームグループ内でのビーム選択とコフェージングとを実行し得る。
【００７４】
[0079]ワイヤレス通信デバイス１０４によって使用されるコードブック１０８はあらかじめ定義され得る。たとえば、ワイヤレス通信デバイス１０４は、各コードブック１０８に関連するパラメータとともに、２つまたはそれ以上のコードブック１０８を含み得る。ワイヤレス通信デバイス１０４によって使用されるコードブック１０８は、代わりに適応可能であり得る。したがって、ワイヤレス通信デバイス１０４は、適応されたコードブック１０８を取得するために、コードブック１０８のパラメータのいずれかを調整し得る。コードブック１０８のパラメータは、ＧｏＢ解像度１１０、ビームグループのサイズ１１２、ビームグループ間の重複１１４および／またはコフェージング精度１１６を含み得る。パラメータの各々は、コードブック１０８を形成するために個々に適応可能であり得る。
【００７５】
[0080]上記で説明したように、ワイヤレス通信デバイス１０４はコードブック１０８を自律的に選択し得る。代替的に、ワイヤレス通信デバイス１０４は、どのコードブック１０８を選択すべきかに関するシグナリングを基地局１０２から受信し得る。一構成では、ワイヤレス通信デバイス１０４は、複数のＣＳＩ報告１３２のために複数のコードブック１０８を使用し得、基地局１０２は、どのコードブック１０８が最大の利益を与えるかをワイヤレス通信デバイス１０４に示し得る。コードブック１０８は、明示的ビット、動的パラメータおよび／または半静的パラメータに基づくシグナリングを使用してシグナリングされ得る。
【００７６】
[0081]３０４において、ワイヤレス通信デバイス１０４は、コードブック１０８を使用してＣＳＩ報告１３２を生成する。３０６において、ワイヤレス通信デバイス１０４は、次いでＣＳＩ報告１３２を基地局１０２に送信する。
【００７７】
[0082]図４は、コードブック適応を使用するＣＳＩ報告を取得するための方法４００の流れ図である。方法４００は基地局１０２によって実行され得る。一構成では、基地局１０２はワイヤレス通信デバイス１０４に対して４Ｔｘダウンリンク１２４送信を使用し得る。
【００７８】
[0083]４０２において、基地局１０２は、ＣＳＩ報告１３２のための、ワイヤレス通信デバイス１０４によって使用されるコードブック１０８を決定する。一構成では、コードブック１０８はデュアルコードブック構造を有し得る。たとえば、コードブック１０８はブロック対角ビームグリッド（ＧｏＢ）構造を有し得る。第１の行列（たとえば、Ｗ１行列１１８）は、各偏波についてビームグリッドを定義し得る。第２の行列（たとえば、Ｗ２行列１２０）は、ビームグループ内でのビーム選択とコフェージングとを実行し得る。
【００７９】
[0084]ワイヤレス通信デバイス１０４によって使用されるコードブック１０８はあらかじめ定義され得る。たとえば、ワイヤレス通信デバイス１０４は、各コードブック１０８に関連するパラメータとともに、２つまたはそれ以上のコードブック１０８を含み得る。ワイヤレス通信デバイス１０４によって使用されるコードブック１０８は、代わりに適応可能であり得る。したがって、ワイヤレス通信デバイス１０４は、適応されたコードブック１０８を取得するために、コードブック１０８のパラメータのいずれかを調整し得る。コードブック１０８のパラメータは、ＧｏＢ解像度１１０、ビームグループのサイズ１１２、ビームグループ間の重複１１４および／またはコフェージング精度１１６を含み得る。パラメータの各々は、コードブック１０８を形成するために個々に適応可能であり得る。
【００８０】
[0085]上記で説明したように、基地局１０２は、どのコードブック１０８を使用すべきか（または使用すべきコードブック１０８のパラメータ）に関してワイヤレス通信デバイス１０４に命令し得る。代替的に、基地局１０２は、どのコードブック１０８が使用されたかの指示をワイヤレス通信デバイス１０４から受信し得る。
【００８１】
[0086]４０４において、基地局１０２はＣＳＩ報告１３２を受信する。ＣＳＩ報告１３２は、コードブック１０８が決定される前または後に受信され得る。ＣＳＩ報告１３２は、それぞれ第１の行列（たとえば、Ｗ1行列１１８）および第２の行列（たとえば、Ｗ2行列１２０）に対応するインデックスを含み得る。
【００８２】
[0087]４０６において、基地局１０２は、コードブック１０８を使用してＣＳＩ報告１３２を復号する。一構成では、４０６において、コードブック１０８を使用してＣＳＩ報告１３２を復号することは、ＣＳＩ報告１３２を復号するためにどのデコーダを使用すべきかを決定することを含み得る。基地局１０２は、（ビームフォーミングを含めて）ワイヤレス通信デバイス１０４への将来のダウンリンク１２４送信をスケジュールするために、復号されたＣＳＩ報告１３２を使用し得る。
【００８３】
[0088]図５は、コードブック適応を使用する周期ＣＳＩ報告のための方法５００の流れ図である。方法５００はワイヤレス通信デバイス１０４によって実行され得る。一構成では、５０２において、ワイヤレス通信デバイス１０４は、基地局１０２からワイヤレス通信デバイス１０４への４Ｔｘダウンリンク１２４送信に対応する周期ＣＳＩ報告１３２を与える。コードブック適応は、ワイヤレス通信デバイス１０４が、ＣＳＩ報告１３２を生成するときに１つまたは複数のコードブック１０８を使用することを可能にし得る。
【００８４】
[0089]周期フィードバックの一構成では、ＣＳＩフィードバックは、本明細書で説明する拡張コードブック１０８を使用して、ＰＵＣＣＨ報告モード１−１および２−１に基づいてサポートされ得る。これは、デュアルコードブック構造に同様に基づく８Ｔｘフィードバック報告の報告タイプを利用することによって達成され得る。ただし、１１ビットペイロード制約を満たすために、報告タイプのうちのいくつかについてコードブックサブサンプリングの問題が対処される必要がある。
【００８５】
[0090]５０４において、ワイヤレス通信デバイス１０４は、ＰＵＣＣＨモード１−１、サブモード１のためにタイプ５報告を使用する。この報告モードでは、第１のＰＭＩがＲＩとともに（ＲＩ、第１のＰＭＩ）タイプ５報告として報告される。８Ｔｘの場合、アグリゲートされたペイロードが合計１１ビット以下にとどまることにもかかわらず、コードブックサブサンプリングが実行される。Ｒｅｌ−１０では、サブサンプリングは、より高い送信信頼性を達成することによって誘導された。第２のＰＭＩとＣＱＩとは、非デュアルコードブック１０８の場合に報告が実行される方法と同様に、タイプ２ｂ報告として報告される。この場合、コードブックサブサンプリングは必要とされない。
【００８６】
[0091]本明細書で説明する拡張４Ｔｘコードブック１０８の場合、コードブックサブサンプリングはタイプ５（ＲＩ、第１のＰＭＩ）報告のために実行され得る。コードブックサブサンプリングをできる限り回避し、サブサンプリングが、デュアルコードブック１０８構造から生じる冗長プリコーダを削除する限り、サブサンプリングを実行することが有益であり得る。冗長プリコーダの存在は、単一のワイドバンドプリコーダを仮定して、複数のサブバンドレベルＰＭＩがフィードバックされる、ビームグループの概念から生じる。しかしながら、これは、第１のＰＭＩと第２のＰＭＩの両方がワイドバンドごとに報告される、ＰＵＣＣＨモード１−１に関係しない。たとえば、一構成では、隣接するビームグループ間の重複を回避するために、Ｗ1コードブック１０８（たとえば、Ｗ1行列１１８）のエントリが１つおきに削除され得る。
【００８７】
[0092]多くのコードブック１０８構成は第１のＰＭＩについて３ビットペイロードを達成し得る。４Ｔｘ  ＣＳＩ報告の場合、これは、２レイヤ空間多重化については４ビット、および４レイヤ空間多重化については５ビットの最大ペイロードをもたらすであろう。これらのペイロードは、８Ｔｘフィードバック報告のために使用されるペイロードと整合される。ＰＵＣＣＨ１−１、サブモード１、フィードバック報告のためのペイロードを以下の表３に与える。
【表３】
0006599239.tif 000006
【００８８】
[0093]５０６において、ワイヤレス通信デバイス１０４は、ＰＵＣＣＨモード１−１、サブモード２のためにタイプ２ｃ報告を使用する。この報告モードでは、第１のＰＭＩと第２のＰＭＩとＣＱＩとがタイプ２ｃ報告として一緒に報告され得る。この報告モードは、サブサンプリングを最大限に回避するために望ましいであろう。ランク１では、（上記で略述したように、冗長プリコーダの削除を仮定して）拡張コードブック１０８のための３＋３ビットの複合ペイロードが依然としてサポートされ得るので、サブサンプリングは必要とされない。同様に、ランク３およびランク４では、Ｒｅｌ−８コードブック１０８が再利用される場合、サブサンプリングは必要ない。
【００８９】
[0094]ランク２では、ペイロードは、Ｗ1については３ビットに低減され、Ｗ2については１ビットに低減され得る。このコードブックサブサンプリングは８Ｔｘ設計と整合される。Ｗ2のための１ビットペイロードはコフェージングのみを実行するであろう。ＰＵＣＣＨ１−１、サブモード２、フィードバック報告のためのペイロード構成を表４に与える。
【表４】
0006599239.tif 000007
【００９０】
[0095]５０８において、ワイヤレス通信デバイス１０４は、ＰＵＣＣＨモード２−１のためにタイプ１ａ報告を使用する。この報告モードでは、コードブックサブサンプリングは、サブバンド第２のＰＭＩ情報と、サブバンドＣＱＩ情報と、サブバンド（ＳＢ）ラベルとを含む報告タイプ１ａのためにのみ必要とされ得る。表５に示されているように、コードブックサブサンプリングは、Ｒｅｌ−８コードブック１０８がランク３およびランク４のために再利用されると仮定して、ＲＩ＝２の場合に実行され得る。この場合のサブサンプリングは、ＰＵＣＣＨ１−１、サブモード２のためのサブサンプリングと同様に１ビットＷ2を使用することによって、またはいくつかの追加のビーム選択を可能にする２ビットＷ2を使用することによって実行され得る。Ｒｅｌ−８コードブック１０８がランク３およびランク４のために再利用される場合、既存のＲｅｌ−８報告プロシージャに従って報告され得る単一のＰＭＩしかないので、サブサンプリングはタイプ１ａ報告のために必要とされない。さらに、この場合、プロシージャトランザクション識別情報（ＰＴＩ：procedure transaction identity）＝０のみがランク３およびランク４のためにサポートされるであろう。
【表５】
0006599239.tif 000008
【００９１】
[0096]場合によっては、周期ＣＳＩフィードバック報告は、総ＣＳＩ報告１３２（たとえば、ＲＩ／ＰＭＩ／ＣＱＩ）ペイロードが合計１１ビットを超えないことを保証するためにコードブックサブサンプリングを必要とする。サブサンプリングを実行した後に任意のビーム方向に対応するビームを選択する能力が考慮されるべきである。隣接するＷ1コードブックエントリが２ビームだけ重複する、８Ｔｘコードブックの場合、サブサンプリングは、コードブックインデックスを１つおきにのみ保持することによって達成され得る。表６に示すように、そうすることはビームグループ間の重複のみを削除する。表６は、コードブックタイプ２ａ／２ｂ対８Ｔｘコードブックのためのビームグループ組成を与えている。
【表６】
0006599239.tif 000009
【００９２】
[0097]表６に示された拡張コードブック１０８（たとえば、コードブック２ａ／２ｂ）では、隣接するＷ1コードブックエントリは２ビームだけ重複しない。したがって、コードブックエントリを１つおきに選択することは、いくつかのビーム方向の選択を可能にしないことがある。しかしながら、コードブックエントリの前半を選択することが、コードブック中の３２個のビームのうちのいずれかを選択することの可能性を維持する。これは、８Ｔｘコードブックと比較して異なるサブサンプリングを誘導し得る。
【００９３】
[0098]ＰＵＣＣＨモード１−１、サブモード１のためのコードブックサブサンプリングでは、Ｗ1は、上記で説明したように、タイプ５報告としてＲＩとともに報告され得る。８Ｔｘの場合、コードブックサブサンプリングは、Ｗ1コードブックから冗長プリコーダを削除するために実行され得る。同様の手法が拡張コードブック１０８のためにも実行され得るが、Ｗ2コードブック中の差異（すなわち、αオフセット）が、ビームの同じセットを含んでいるがビームの順序が異なる、ビームグループ間の異なる全体的プリコーダをもたらし得る（たとえば、表６中のエントリ０および８）。αファクタは、ビーム選択を用いてジョイント符号化されるより細かいコフェージンググラニュラリティを可能にし得る。
【００９４】
[0099]コードブックサブサンプリングをできる限り回避することが有益であり得る。ただし、コードブックサブサンプリングが、ビームの同じセットをもつビームグループを削除する限り、コードブックサブサンプリングは考慮され得る。これは、第１のＰＭＩインデックスｉ１に関連するビームグループとインデックスｉ１＋８に関連するビームグループとが、同じ順序ではないが同じビームを含むことを示す、表７に示されている。
【表７】
0006599239.tif 000010
【００９５】
[00100]一構成では、Ｗ1コードブックインデックスｉ１  ０〜７に対応するビームグループごとのビームのための表７中のコードブックエントリが選択され得、Ｗ1コードブックインデックスｉ１  ８〜１５に対応するビームグループごとのビームのためのコードブックエントリがプルーニングされ得る。
【００９６】
[00101]代替的に、サブサンプリングを回避し、拡張コードブック１０８を十分に使用するために、コードブックサブセット制限が、必要なとき、改善された信頼性の利益を達成するために実装形態固有の方法で採用され得る。いくつかの構成では、コードブックサブセット制限は、ワイヤレス通信デバイス１０４がＣＳＩフィードバックのために仮定することができるコードブック１０８のセットおよび／またはランクを制限する方法を基地局１０２に与え得る。コードブックサブセット制限は送信ペイロード自体を低減しないが、コードブックサブセット制限は、ワイヤレス通信デバイス１０４のＣＳＩ報告１３２を復号するときにネットワークにおいて既知のビットをもたらす。ビットのサブセットのこの知識は、報告をより確実に検出するために復号プロセスにおいて活用され得る。
【００９７】
[00102]ＰＵＣＣＨモード１−１、サブモード２のためのコードブックサブサンプリングでは、Ｗ1とＷ2とがタイプ２ｃ報告として一緒に報告され得る。この場合、サブサンプリングは不可避であり得るが、サブサンプリングの量をできる限り制限することが望ましいことがある。１よりも大きいランクのための増加したＣＱＩペイロードにより、サブサンプリングは送信ランクに依存し得る。
【００９８】
[00103]ランク１では、ＰＭＩを搬送するために７ビットが利用可能である（ＣＱＩのために４ビットが必要とされる）。表７に示されているように、重複ビームグループを削除することによって、合計３ビットがＷ1に割り振られ得る。残りの４ビットは、さらなるサブサンプリングなしにＷ2をフィードバックするために使用され得る。
【００９９】
[00104]ランク２では、ＰＭＩを搬送するために４ビットが利用可能である。（ＣＱＩおよび差分ＣＱＩのために７ビットが必要とされる）。これらの４ビットは、２つのオプションに従って割り振られ得る。第１のオプションでは、２ビットがＷ1に割り振られ得、これは、表８の上半分に示されているようにビームグループの選択を可能にする。残りの２ビットはＷ2に割り振られ得る。Ｗ2に割り振られた２つの残りのビットのうちの１つはビームグループ中の第１のビームまたは第３のビームのいずれかを選択し得、他のビットはコフェージング（たとえば、「０」または「−１」のいずれか）を選択する。表８は、ＰＵＣＣＨ１−１、サブモード２、報告タイプ２ｃのためのコードブックサブサンプリングのための２つのオプションを示している。
【表８】
0006599239.tif 000011
【０１００】
[00105]一構成では、表８中の下線付きのコードブックエントリは選択されたコードブックエントリを示す。表８中の残りのコードブックエントリ（たとえば、下線なしのコードブックエントリ）はプルーニングされたコードブックエントリを示す。
【０１０１】
[00106]第２のオプションでは、３ビットがＷ1に割り振られ得、これは、表８の下半分に示されているようにビームグループを選択することを可能にする。残りの１ビットは、ビームグループ中の第１のビームまたは第３のビームのいずれかのビーム選択を実行するために使用され得る。このオプションでは、コフェージング選択は実行されない。
【０１０２】
[00107]ＰＵＣＣＨモード１−１、サブモード２のためのコードブックサブサンプリングのための上記構成は、コードブックが、コードブック中に含まれている３２個のビームにわたって一様にサブサンプリングされることを保証する。
【０１０３】
[00108]ＰＵＣＣＨモード２−１のためのコードブックサブサンプリングでは、コードブックサブサンプリングは、サブバンドＷ2と、サブバンドＣＱＩと、サブバンド選択ラベルとを含む報告タイプ１ａにのみ必要とされる。サブサンプリングはランクに依存し得る。ランク１では、（８Ｔｘフィードバック報告の場合のように）比較的より小さいＣＱＩペイロードにより、サブサンプリングは完全に回避され得る。
【０１０４】
[00109]ランク２では、Ｗ2  ＰＭＩペイロードを搬送するために２ビットが利用可能である。８Ｔｘフィードバック報告と同様に、ビーム選択情報を搬送するために２ビットが使用され得る。たとえば、サブサンプリング方式は、すべてが式（１）の第１のコフェージングオプションをもつ、ペア（ｅ1，ｅ1）、（ｅ2，ｅ2）、（ｅ3，ｅ3）、および（ｅ4，ｅ4）を選択し得る。
【数３】
0006599239.tif 000012
【数４】
0006599239.tif 000013
【０１０５】
[00110]式（１）において、ｅ項はＷ1におけるビームグループ中のビームを表す。たとえば、Ｗ1においてビームグループ中に４つのビームがある場合、４つのビームはｅ1、ｅ2、ｅ3、およびｅ4によって表され得る。
【０１０６】
[00111]ランク３および４では、４Ｔｘコードブック１０８はランク３および４のためのＲｅｌ−８コードワードを再利用し得る。ランク１および２に関しては、ＰＭＩペイロードは４ビットから２ビットに低減される必要がある。Ｒｅｌ−８  ４Ｔｘコードブック１０８は、異なるアンテナ構成をターゲットにするコードワードのいくつかのグループを含む。拡張コードブック１０８の焦点は交差偏波アンテナ構成にあるので、このアンテナ構成と整合されたコードワードがＲｅｌ−８コードブック１０８中で保持され得る。特に、このアンテナ構成に対応する、４Ｔｘコードブック１０８中の最後の４つのエントリ（すなわち、エントリ１２〜１５）がＰＵＣＣＨ２−１報告のために保持され得る。
【０１０７】
[00112]図６は、ＭＩＭＯシステム６００における送信機６５０および受信機６５２のブロック図である。いくつかの実装形態では、送信機６５０は、基地局１０２のうちの１つまたは複数において実装され得る。いくつかの実装形態では、受信機６５２は、ワイヤレス通信デバイス１０４および基地局１０２のうちの１つまたは複数において実装され得る。送信機６５０では、いくつかのデータストリームのためのトラフィックデータがデータソース６５４から送信（ＴＸ）データプロセッサ６５６に与えられる。各データストリームは、次いで、それぞれの送信アンテナ６５８ａ〜ｔを介して送信され得る。送信（ＴＸ）データプロセッサ６５６は、コード化データを与えるために、各データストリームのためのトラフィックデータを、そのデータストリームのために選択された特定のコーディング方式に基づいてフォーマットし、コーディングし、インターリーブし得る。
【０１０８】
[00113]各データストリームのためのコード化データは、直交周波数分割多重（ＯＦＤＭ）技法を使用してパイロットデータ（たとえば、基準信号）と多重化され得る。パイロットデータは、既知の方法で処理され、チャネル応答を推定するために受信機６５２において使用される既知のデータパターンであり得る。各ストリームのための多重化されたパイロットデータおよびコード化データは、次いで、変調シンボルを与えるために、そのデータストリームのために選択された特定の変調方式（たとえば、２位相シフトキーイング（ＢＰＳＫ：binary phase shift keying）、４位相シフトキーイング（ＱＰＳＫ：quadrature phase shift keying）、多相シフトキーイング（Ｍ−ＰＳＫ：multiple phase shift keying）またはマルチレベル直交振幅変調（Ｍ−ＱＡＭ：multi-level quadrature amplitude modulation））に基づいて変調（すなわち、シンボルマッピング）される。各データストリームのためのデータレート、コーディング、および変調は、プロセッサによって実行される命令によって決定され得る。
【０１０９】
[00114]すべてのデータストリームのための変調シンボルが送信（ＴＸ）多入力多出力（ＭＩＭＯ）プロセッサ６６０に与えられ得、送信（ＴＸ）多入力多出力（ＭＩＭＯ）プロセッサ６６０はさらに（たとえば、ＯＦＤＭ用に）その変調シンボルを処理し得る。送信（ＴＸ）多入力多出力（ＭＩＭＯ）プロセッサ６６０は、次いで、ＮＴ個の変調シンボルストリームをＮＴ個の送信機（ＴＭＴＲ）６６２ａ〜６６２ｔに与える。送信（ＴＸ）多入力多出力（ＭＩＭＯ）プロセッサ６６０は、データストリームのシンボルと、シンボルがそこから送信されているアンテナ６５８とにビームフォーミング重みを適用し得る。
【０１１０】
[00115]各送信機６６２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した被変調信号を与え得る。送信機６６２ａ〜６６２ｔからのＮＴ個の被変調信号は、次いで、それぞれＮＴ個のアンテナ６５８ａ〜６５８ｔから送信される。
【０１１１】
[00116]受信機６５２において、送信された被変調信号はＮＲ個のアンテナ６６４ａ〜６６４ｒによって受信され、各アンテナ６６４からの受信信号は、それぞれの受信機（ＲＣＶＲ）６６６ａ〜６６６ｒに与えられる。各受信機６６６は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与え得る。
【０１１２】
[00117]ＲＸデータプロセッサ６６８が、次いで、ＮＲ個の受信機６６６からＮＲ個の受信シンボルストリームを受信し、特定の受信機処理技法に基づいて処理して、ＮＴ個の「検出」シンボルストリームを与える。ＲＸデータプロセッサ６６８は、次いで、各検出シンボルストリームを復調し、デインターリーブし、復号して、データストリームのためのトラフィックデータを復元する。ＲＸデータプロセッサ６６８による処理は、送信機システム６５０におけるＴＸ  ＭＩＭＯプロセッサ６６０およびＴＸデータプロセッサ６５６によって実行される処理を補足するものであり得る。
【０１１３】
[00118]プロセッサ６７０は、どのプリコーディング行列を使用すべきかを周期的に決定し得る。プロセッサ６７０は、メモリ６７２上に情報を記憶し、メモリ６７２から情報を取り出し得る。プロセッサ６７０は、行列インデックス部分とランク値部分とを備える逆方向リンクメッセージを作成する。逆方向リンクメッセージはチャネル状態情報（ＣＳＩ）と呼ばれることがある。逆方向リンクメッセージは、通信リンクおよび／または受信データストリームに関する様々なタイプの情報を備え得る。逆方向リンクメッセージは、次いで、データソース６７６からいくつかのデータストリームのためのトラフィックデータをも受信するＴＸデータプロセッサ６７４によって処理され、変調器６７８によって変調され、送信機６６６ａ〜６６６ｒによって調整され、送信機６５０に返信される。
【０１１４】
[00119]送信機６５０において、受信機からの被変調信号は、アンテナ６５８によって受信され、受信機６６２によって調整され、復調器６８０によって復調され、受信機システム６５２によって送信された逆方向リンクメッセージを抽出するためにＲＸデータプロセッサ６８２によって処理される。プロセッサ６８４は、ＲＸデータプロセッサ６８２からチャネル状態情報（ＣＳＩ）を受信し得る。プロセッサ６８４は、メモリ６８６上に情報を記憶し、メモリ６８６から情報を取り出し得る。プロセッサ６８４は、次いで、ビームフォーミング重みを決定するためにどのプリコーディング行列を使用すべきかを決定し、次いで、抽出されたメッセージを処理する。
【０１１５】
[00120]図７に、ワイヤレス通信デバイス７０４内に含まれ得るいくつかの構成要素を示す。ワイヤレス通信デバイス７０４は、アクセス端末、移動局、ユーザ機器（ＵＥ）などであり得る。ワイヤレス通信デバイス７０４はプロセッサ７０３を含む。プロセッサ７０３は、汎用シングルまたはマルチチップマイクロプロセッサ（たとえば、高度ＲＩＳＣ（縮小命令セットコンピュータ）マシン（ＡＲＭ））、専用マイクロプロセッサ（たとえば、デジタル信号プロセッサ（ＤＳＰ））、マイクロコントローラ、プログラマブルゲートアレイなどであり得る。プロセッサ７０３は中央処理ユニット（ＣＰＵ）と呼ばれることがある。図７のワイヤレス通信デバイス７０４には単一のプロセッサ７０３のみが示されているが、代替構成では、プロセッサの組合せ（たとえば、ＡＲＭとＤＳＰ）が使用され得る。
【０１１６】
[00121]ワイヤレス通信デバイス７０４はメモリ７０５をも含む。メモリ７０５は、電子情報を記憶することが可能な任意の電子的構成要素であり得る。メモリ７０５は、ランダムアクセスメモリ（ＲＡＭ）、読取り専用メモリ（ＲＯＭ）、磁気ディスク記憶媒体、光記憶媒体、ＲＡＭ中のフラッシュメモリデバイス、プロセッサに含まれるオンボードメモリ、消去可能プログラマブル読取り専用メモリ（ＥＰＲＯＭ）、電気消去可能プログラマブル読取り専用メモリ（ＥＥＰＲＯＭ（登録商標））メモリ、レジスタなど、およびそれらの組合せとして組み込まれ得る。
【０１１７】
[00122]データ７０７ａおよび命令７０９ａがメモリ７０５に記憶され得る。命令７０９ａは、本明細書で開示する方法を実装するためにプロセッサ７０３によって実行可能であり得る。命令７０９ａを実行することは、メモリ７０５に記憶されたデータ７０７ａの使用を含み得る。プロセッサ７０３が命令７０９ａを実行すると、命令７０９ｂの様々な部分がプロセッサ７０３上にロードされ得、様々ないくつかのデータ７０７ｂがプロセッサ７０３上にロードされ得る。
【０１１８】
[00123]ワイヤレス通信デバイス７０４はまた、ワイヤレス通信デバイス７０４との間での信号の送信および受信を可能にするために、送信機７１１と受信機７１３とを含み得る。送信機７１１と受信機７１３とはトランシーバ７１５と総称されることがある。アンテナ７１７はトランシーバ７１５に電気的に結合され得る。ワイヤレス通信デバイス７０４は、複数の送信機、複数の受信機、複数のトランシーバおよび／または追加のアンテナをも含み得る（図示せず）。
【０１１９】
[00124]ワイヤレス通信デバイス７０４はデジタル信号プロセッサ（ＤＳＰ）７２１を含み得る。ワイヤレス通信デバイス７０４は通信インターフェース７２３をも含み得る。通信インターフェース７２３は、ユーザがワイヤレス通信デバイス７０４と対話することを可能にし得る。
【０１２０】
[00125]ワイヤレス通信デバイス７０４の様々な構成要素は、電力バス、制御信号バス、ステータス信号バス、データバスなどを含み得る、１つまたは複数のバスによって互いに結合され得る。明快のために、図７では様々なバスはバスシステム７１９として示されている。
【０１２１】
[00126]図８に、基地局８０２内に含まれ得るいくつかの構成要素を示す。基地局８０２は、アクセスポイント、ブロードキャスト送信機、ノードＢ、発展型ノードＢなどと呼ばれることもあり、それらの機能の一部または全部を含み得る。基地局８０２はプロセッサ８０３を含む。プロセッサ８０３は、汎用シングルまたはマルチチップマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ８０３は中央処理ユニット（ＣＰＵ）と呼ばれることがある。図８の基地局８０２には単一のプロセッサ８０３のみが示されているが、代替構成では、プロセッサの組合せ（たとえば、ＡＲＭとＤＳＰ）が使用され得る。
【０１２２】
[00127]基地局８０２はメモリ８０５をも含む。メモリ８０５は、電子情報を記憶することが可能な任意の電子的構成要素であり得る。メモリ８０５は、ランダムアクセスメモリ（ＲＡＭ）、読取り専用メモリ（ＲＯＭ）、磁気ディスク記憶媒体、光記憶媒体、ＲＡＭ中のフラッシュメモリデバイス、プロセッサに含まれるオンボードメモリ、ＥＰＲＯＭ、ＥＥＰＲＯＭ、レジスタなど、およびそれらの組合せとして組み込まれ得る。
【０１２３】
[00128]データ８０７ａおよび命令８０９ａがメモリ８０５に記憶され得る。命令８０９ａは、本明細書で開示する方法を実装するためにプロセッサ８０３によって実行可能であり得る。命令８０９ａを実行することは、メモリ８０５に記憶されたデータ８０７ａの使用を含み得る。プロセッサ８０３が命令８０９ａを実行すると、命令８０９ｂの様々な部分がプロセッサ８０３上にロードされ得、様々ないくつかのデータ８０７ｂがプロセッサ８０３上にロードされ得る。
【０１２４】
[00129]基地局８０２はまた、基地局８０２との間での信号の送信および受信を可能にするために、送信機８１１と受信機８１３とを含み得る。送信機８１１と受信機８１３とはトランシーバ８１５と総称されることがある。アンテナ８１７はトランシーバ８１５に電気的に結合され得る。基地局８０２は、複数の送信機、複数の受信機、複数のトランシーバおよび／または追加のアンテナをも含み得る（図示せず）。
【０１２５】
[00130]基地局８０２はデジタル信号プロセッサ（ＤＳＰ）８２１を含み得る。基地局８０２は通信インターフェース８２３をも含み得る。通信インターフェース８２３は、ユーザが基地局８０２と対話することを可能にし得る。
【０１２６】
[00131]基地局８０２の様々な構成要素は、電力バス、制御信号バス、ステータス信号バス、データバスなどを含み得る、１つまたは複数のバスによって互いに結合され得る。明快のために、図８では様々なバスはバスシステム８１９として示されている。
【０１２７】
[00132]本明細書で説明した技法は、直交多重化方式に基づく通信システムを含む様々な通信システムのために使用され得る。そのような通信システムの例としては、直交周波数分割多元接続（ＯＦＤＭＡ）システム、シングルキャリア周波数分割多元接続（ＳＣ−ＦＤＭＡ）システムなどがある。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアは独立してデータで変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。
【０１２８】
[00133]「決定」という用語は、多種多様なアクションを包含し、したがって、「決定」は、計算（calculating）、計算（computing）、処理、導出、調査、ルックアップ（たとえば、テーブル、データベースまたは別のデータ構造でのルックアップ）、確認などを含むことができる。また、「決定」は、受信（たとえば、情報を受信すること）、アクセス（たとえば、メモリ中のデータにアクセスすること）などを含むことができる。また、「決定」は、解決、選択、選定、確立などを含むことができる。
【０１２９】
[00134]「に基づいて」という句は、別段に明示されていない限り、「のみに基づいて」を意味しない。言い換えれば、「に基づいて」という句は、「のみに基づいて」と「に少なくとも基づいて」の両方を表す。
【０１３０】
[00135]「プロセッサ」という用語は、汎用プロセッサ、中央処理ユニット（ＣＰＵ）、マイクロプロセッサ、デジタル信号プロセッサ（ＤＳＰ）、コントローラ、マイクロコントローラ、状態機械などを包含するものと広く解釈されたい。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指すことがある。「プロセッサ」という用語は、処理デバイスの組合せ、たとえば、ＤＳＰとマイクロプロセッサとの組合せ、複数のマイクロプロセッサ、ＤＳＰコアと連携する１つまたは複数のマイクロプロセッサ、あるいは他のそのような構成を指すことがある。
【０１３１】
[00136]「メモリ」という用語は、電子情報を記憶することが可能な任意の電子的構成要素を包含するものと広く解釈されたい。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データストレージ、レジスタなど、様々なタイプのプロセッサ可読媒体を指すことがある。プロセッサがメモリから情報を読み取り、および／または情報をメモリに書き込むことができる場合、メモリはプロセッサと電子通信していると言われる。プロセッサに一体化されたメモリはプロセッサと電子通信している。
【０１３２】
[00137]「命令」および「コード」という用語は、任意のタイプの（１つまたは複数の）コンピュータ可読ステートメントを含むものと広く解釈されたい。たとえば、「命令」および「コード」という用語は、１つまたは複数のプログラム、ルーチン、サブルーチン、関数、プロシージャなどを指すことがある。「命令」および「コード」は、単一のコンピュータ可読ステートメントまたは多くのコンピュータ可読ステートメントを備え得る。
【０１３３】
[00138]本明細書で説明した機能は、ハードウェアによって実行されているソフトウェアまたはファームウェアで実装され得る。機能は、１つまたは複数の命令としてコンピュータ可読媒体上に記憶され得る。「コンピュータ可読媒体」または「コンピュータプログラム製品」という用語は、コンピュータまたはプロセッサによってアクセスされ得る任意の有形記憶媒体を指す。限定ではなく例として、コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備え得る。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。コンピュータ可読媒体は有形で非一時的であり得ることに留意されたい。「コンピュータプログラム製品」という用語は、コンピューティングデバイスまたはプロセッサによって実行、処理または計算され得るコードまたは命令（たとえば、「プログラム」）と組み合わせたコンピューティングデバイスまたはプロセッサを指す。本明細書で使用する「コード」という用語は、コンピューティングデバイスまたはプロセッサによって実行可能であるソフトウェア、命令、コードまたはデータを指すことがある。
【０１３４】
[00139]本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、本明細書で説明した方法の適切な動作のためにステップまたはアクションの特定の順序が必要とされない限り、特定のステップおよび／またはアクションの順序および／または使用は、特許請求の範囲を逸脱することなく修正され得る。
【０１３５】
[00140]さらに、図３、図４および図５によって示されたものなど、本明細書で説明した方法および技法を実行するためのモジュールおよび／または他の適切な手段は、デバイスによってダウンロードおよび／または他の方法で取得され得ることを諒解されたい。たとえば、デバイスは、本明細書で説明した方法を実行するための手段の転送を可能にするために、サーバに結合され得る。代替的に、本明細書で説明した様々な方法は、デバイスが、記憶手段をそのデバイスに結合するかまたは与えると様々な方法を得ることがあるように、記憶手段（たとえば、ランダムアクセスメモリ（ＲＡＭ）、読取り専用メモリ（ＲＯＭ）、コンパクトディスク（ＣＤ）またはフロッピーディスクなどの物理記憶媒体など）によって与えられ得る。
【０１３６】
[00141]特許請求の範囲は、上記で示した厳密な構成および構成要素に限定されないことを理解されたい。特許請求の範囲から逸脱することなく、本明細書で説明したシステム、方法、および装置の構成、動作および詳細において、様々な修正、変更および変形が行われ得る。
以下に、出願当初の特許請求の範囲に記載された発明を付記する。
［Ｃ１］
チャネル状態情報（ＣＳＩ）報告のための方法であって、
基地局からの４送信アンテナ（４Ｔｘ）送信に対応するＣＳＩ報告のためのコードブックを決定することと、ここにおいて、前記コードブックがデュアルコードブック構造を有する、
前記コードブックを使用して前記ＣＳＩ報告を生成することと、
前記ＣＳＩ報告を基地局に送信することとを備える、方法。
［Ｃ２］
前記デュアルコードブック構造がブロック対角ビームグリッド構造であり、ここにおいて、第１の行列が各偏波についてのビームグリッドを定義し、ここにおいて、第２の行列がビームグループ内でのビーム選択とコフェージングとを実行する、Ｃ１に記載の方法。
［Ｃ３］
前記コードブックが、ビームグリッド解像度、ビームグループのサイズ、ビームグループ間の重複、およびコフェージング精度のうちの少なくとも１つに基づいて決定される、Ｃ１に記載の方法。
［Ｃ４］
各パラメータが、前記コードブックを形成するために個々に適応可能である、Ｃ３に記載の方法。
［Ｃ５］
明示的ビット、動的パラメータおよび半静的パラメータのうちの少なくとも１つに基づくシグナリングを使用して前記コードブックをシグナリングすることをさらに備える、Ｃ１に記載の方法。
［Ｃ６］
新しい報告タイプが、様々な報告モードでのプリコーディング行列インジケータ（ＰＭＩ）またはチャネル品質インジケータ（ＣＱＩ）のために費やされるビット数を調整するために定義される、Ｃ１に記載の方法。
［Ｃ７］
前記方法がワイヤレス通信デバイスによって実行され、ここにおいて、前記ワイヤレス通信デバイスが、複数の構成されたコードブックのうちのいずれがＣＳＩ報告のために使用されるべきかを決定する、Ｃ１に記載の方法。
［Ｃ８］
複数ユーザチャネル品質インジケータ仮定がコードブック適応とは別のままである、Ｃ１に記載の方法。
［Ｃ９］
複数ユーザチャネル品質インジケータ仮定がコードブック適応に従う、Ｃ１に記載の方法。
［Ｃ１０］
前記ＣＳＩ報告についての１１ビットペイロード制約を満たすためにコードブックサブサンプリングを実行することをさらに備える、Ｃ１に記載の方法。
［Ｃ１１］
基地局によるチャネル状態情報（ＣＳＩ）報告のための方法であって、
前記基地局からの４送信アンテナ（４Ｔｘ）送信に対応するＣＳＩ報告のための、ワイヤレス通信デバイスによって使用されるコードブックを決定することと、ここにおいて、前記コードブックがデュアルコードブック構造を有する、
前記ＣＳＩ報告を受信することと、
前記コードブックを使用して前記ＣＳＩ報告を復号することとを備える、方法。
［Ｃ１２］
前記デュアルコードブック構造がブロック対角ビームグリッド構造であり、ここにおいて、第１の行列が各偏波についてのビームグリッドを定義し、ここにおいて、第２の行列がビームグループ内でのビーム選択とコフェージングとを実行する、Ｃ１１に記載の方法。
［Ｃ１３］
前記コードブックが、ビームグリッド解像度、ビームグループのサイズ、ビームグループ間の重複、およびコフェージング精度のうちの少なくとも１つに基づいて決定される、Ｃ１１に記載の方法。
［Ｃ１４］
各パラメータが、前記コードブックを形成するために個々に適応可能である、Ｃ１３に記載の方法。
［Ｃ１５］
明示的ビット、動的パラメータおよび半静的パラメータのうちの少なくとも１つに基づくシグナリングを使用して前記コードブックをシグナリングすることをさらに備える、Ｃ１１に記載の方法。
［Ｃ１６］
新しい報告タイプが、様々な報告モードでのプリコーディング行列インジケータ（ＰＭＩ）またはチャネル品質インジケータ（ＣＱＩ）のために費やされるビット数を調整するために定義される、Ｃ１１に記載の方法。
［Ｃ１７］
前記ワイヤレス通信デバイスが、複数の構成されたコードブックのうちのいずれがＣＳＩ報告のために使用されるべきかを決定する、Ｃ１１に記載の方法。
［Ｃ１８］
複数ユーザチャネル品質インジケータ仮定がコードブック適応とは別のままである、Ｃ１１に記載の方法。
［Ｃ１９］
複数ユーザチャネル品質インジケータ仮定がコードブック適応に従う、Ｃ１１に記載の方法。
［Ｃ２０］
前記ＣＳＩ報告についての１１ビットペイロード制約を満たすためにコードブックサブサンプリングを実行することをさらに備える、Ｃ１１に記載の方法。
［Ｃ２１］
チャネル状態情報（ＣＳＩ）報告のためのワイヤレス通信デバイスであって、
プロセッサと、
前記プロセッサと電子通信しているメモリと、
前記メモリに記憶された命令とを備え、前記命令は、
基地局からの４送信アンテナ（４Ｔｘ）送信に対応するＣＳＩ報告のためのコードブックを決定することと、ここにおいて、前記コードブックがデュアルコードブック構造を有する、
前記コードブックを使用して前記ＣＳＩ報告を生成することと、
前記ＣＳＩ報告を基地局に送信することとを行うために前記プロセッサによって実行可能である、ワイヤレス通信デバイス。
［Ｃ２２］
前記コードブックが、ビームグリッド解像度、ビームグループのサイズ、ビームグループ間の重複、およびコフェージング精度のうちの少なくとも１つに基づいて決定される、Ｃ２１に記載のワイヤレス通信デバイス。
［Ｃ２３］
各パラメータが、前記コードブックを形成するために個々に適応可能である、Ｃ２２に記載のワイヤレス通信デバイス。
［Ｃ２４］
明示的ビット、動的パラメータおよび半静的パラメータのうちの少なくとも１つに基づくシグナリングを使用して前記コードブックをシグナリングするために実行可能な命令をさらに備える、Ｃ２１に記載のワイヤレス通信デバイス。
［Ｃ２５］
複数の構成されたコードブックのうちのいずれがＣＳＩ報告のために使用されるべきかを決定するために実行可能な命令をさらに備える、Ｃ２１に記載のワイヤレス通信デバイス。
［Ｃ２６］
チャネル状態情報（ＣＳＩ）報告のための基地局であって、
プロセッサと、
前記プロセッサと電子通信しているメモリと、
前記メモリに記憶された命令とを備え、前記命令は、
前記基地局からの４送信アンテナ（４Ｔｘ）送信に対応するＣＳＩ報告のための、ワイヤレス通信デバイスによって使用されるコードブックを決定することと、ここにおいて、前記コードブックがデュアルコードブック構造を有する、
前記ＣＳＩ報告を受信することと、
前記コードブックを使用して前記ＣＳＩ報告を復号することとを行うために前記プロセッサによって実行可能である、基地局。
［Ｃ２７］
前記コードブックが、ビームグリッド解像度、ビームグループのサイズ、ビームグループ間の重複、およびコフェージング精度のうちの少なくとも１つに基づいて決定される、Ｃ２６に記載の基地局。
［Ｃ２８］
各パラメータが、前記コードブックを形成するために個々に適応可能である、Ｃ２７に記載の基地局。
［Ｃ２９］
明示的ビット、動的パラメータおよび半静的パラメータのうちの少なくとも１つに基づくシグナリングを使用して前記コードブックをシグナリングするために実行可能な命令をさらに備える、Ｃ２６に記載の基地局。
［Ｃ３０］
前記ワイヤレス通信デバイスが、複数の構成されたコードブックのうちのいずれがＣＳＩ報告のために使用されるべきかを決定する、Ｃ２６に記載の基地局。
［Ｃ３１］
チャネル状態情報（ＣＳＩ）報告のためのワイヤレス通信デバイスであって、
基地局からの４送信アンテナ（４Ｔｘ）送信に対応するＣＳＩ報告のためのコードブックを決定するための手段と、ここにおいて、前記コードブックがデュアルコードブック構造を有する、
前記コードブックを使用して前記ＣＳＩ報告を生成するための手段と、
前記ＣＳＩ報告を基地局に送信するための手段とを備える、ワイヤレス通信デバイス。
［Ｃ３２］
チャネル状態情報（ＣＳＩ）報告のための基地局であって、
前記基地局からの４送信アンテナ（４Ｔｘ）送信に対応するＣＳＩ報告のための、ワイヤレス通信デバイスによって使用されるコードブックを決定するための手段と、ここにおいて、前記コードブックがデュアルコードブック構造を有する、
前記ＣＳＩ報告を受信するための手段と、
前記コードブックを使用して前記ＣＳＩ報告を復号するための手段とを備える、基地局。
［Ｃ３３］
チャネル状態情報（ＣＳＩ）報告のためのコンピュータプログラム製品であって、前記コンピュータプログラム製品が、命令をその上に有する非一時的コンピュータ可読媒体を備え、前記命令は、
ワイヤレス通信デバイスに、基地局からの４送信アンテナ（４Ｔｘ）送信に対応するＣＳＩ報告のためのコードブックを決定させるためのコードと、ここにおいて、前記コードブックがデュアルコードブック構造を有する、
前記ワイヤレス通信デバイスに、前記コードブックを使用して前記ＣＳＩ報告を生成させるためのコードと、
前記ワイヤレス通信デバイスに、前記ＣＳＩ報告を基地局に送信させるためのコードとを備える、コンピュータプログラム製品。
［Ｃ３４］
チャネル状態情報（ＣＳＩ）報告のためのコンピュータプログラム製品であって、前記コンピュータプログラム製品が、命令をその上に有する非一時的コンピュータ可読媒体を備え、前記命令は、
基地局に、前記基地局からの４送信アンテナ（４Ｔｘ）送信に対応するＣＳＩ報告のための、ワイヤレス通信デバイスによって使用されるコードブックを決定させるためのコードと、ここにおいて、前記コードブックがデュアルコードブック構造を有する、
前記基地局に前記ＣＳＩ報告を受信させるためのコードと、
前記基地局に、前記コードブックを使用して前記ＣＳＩ報告を復号させるためのコードとを備える、コンピュータプログラム製品。
【図１】
0006599239.tif 000014
【図２】
0006599239.tif 000015
【図３】
0006599239.tif 000016
【図４】
0006599239.tif 000017
【図５】
0006599239.tif 000018
【図６】
0006599239.tif 000019
【図７】
0006599239.tif 000020
【図８】
0006599239.tif 000021